(57)【特許請求の範囲】
【請求項１】
ファン６およびファン駆動用のモータ７を収容する筒状の本体ケース１と、イオンを生成するイオン発生部１５と、イオン発生部１５で生成されたイオンを移行案内するイオン通路２１とを備えており、
イオン発生部１５は、イオン通路２１を構成する筒体５４内に設けられ、
筒体５４には、ファン６によって生起された風の通過を許す入口４０と、通過した風によって移行するイオンを吹き出すための出口４１が形成され、
筒体５４の側壁には、ファン６によって生起された風を取り入れる切欠５５が形成されたことを特徴とする送風装置。
【請求項２】
切欠５５に臨む位置に、筒体５４の軸に対する筒体５４の角度よりも高角度を成す風取り入れ体５１を設けたことを特徴とする請求項１記載の送風装置。
【請求項３】
風取り入れ体５１は、筒体５４の最大径部分よりも外方に位置するところまで延設されていることを特徴とする請求項２に記載の送風装置。
【請求項４】
本体ケース１内に収納される駆動源の前端面と筒体５４の入口４０とを対向するように設け、
取り入れ体５１の外郭部を、駆動源の外郭部よりも外方に位置するところまで延設したことを特徴とする請求項２または３に記載の送風装置。
【請求項５】
ファン６およびファン駆動用のモータ７を収容する筒状の本体ケース１と、イオンを生成するイオン発生部１５と、イオン発生部１５で生成されたイオンを移行案内するイオン通路２１とを備えており、
イオン発生部１５は、イオン通路２１を構成する筒体５４内に設けられ、
筒体５４には、ファン６によって生起された風の通過を許す入口４０と、通過した風によって移行するイオンを吹き出すための出口４１と、筒体５４の軸に対する筒体５４の角度よりも高角度を成す風取り入れ体５１とを形成し、
本体ケース１内に収納される駆動源の前端面と筒体５４の入口４０とを対向するように設け、
風取り入れ体５１の外郭部を、駆動源の外郭部よりも外方に位置するところまで延設したことを特徴とする送風装置。
【発明の詳細な説明】
【０００１】
【発明の属する技術分野】
この発明は、ヘアードライヤーに代表される送風装置、なかでもイオンを発生させるための手段を備えた送風装置に関する。
【０００２】
【従来の技術】
この種のヘアードライヤーは、実公昭５８−１６３２３号公報に公知である。そこでは、ケース本体内に高圧針電極を設け、同電極に高電圧を印加することによってイオンやオゾンを生成し、ファンによって生起された風に乗せて、毛髪に対し生成されたイオンやオゾンを吹き付けるよう構成されている。
【０００３】
【発明が解決しようとする課題】
上記のヘアードライヤーによれば、イオンを毛髪へ吹き付けることができる。しかし、十分な量のイオンを毛髪に吹き付けることができる訳ではない。上記ヘアードライヤーにおいては、ファンから送出されて旋回する空気流によって、生成されたイオンが旋回する空気流の中に拡散し、分布密度が吹出口に向かうほど低下するのを避けられない。空気流の中に薄く拡散したイオンは、イオン生成電極と吹出口との間の送風通路や、該当通路に組み込まれた部品の表面に接触し中和されて消失する。
【０００４】
とくに、ケース本体の吹出口にブラシユニットを連結して使用するヘアーブロッサの場合には、風導部とブラシユニットとを通過する間に消失するマイナスイオンの個数が多く、その減耗の度合いはイオン生成電極で生成した個数の約半分にも達することが確認されている。このように、イオン生成電極を備えた従来例では、イオン生成電極で生成したマイナスイオンの個数と、実際に毛髪へ到達できるマイナスイオンの個数との間に大きな開きがあり、送給途中におけるマイナスイオンの消失度が高く、マイナスイオンを毛髪に効果的に送給できない点に改善の余地があった。
【０００５】
この発明の目的は、イオン発生部で生成したイオンが本体ケース内の送風経路で消滅してしまうのを防止して、より効果的にイオンを対象物（毛髪）へ吹き付けることができるヘアードライヤー等の送風装置を提供することにある。
【０００６】
【課題を解決するための手段】
この発明の送風装置は、図２に示すごとくファン６およびファン駆動用のモータ７を収容する筒状の本体ケース１と、イオンを生成するイオン発生部１５と、イオン発生部１５で生成されたイオンを移行案内するイオン通路２１とを備えており、イオン発生部１５は、イオン通路２１を構成する筒体５４内に設けられ、筒体５４には、ファン６によって生起された風の通過を許す入口４０と、通過した風によって移行するイオンを吹き出すための出口４１が形成され、筒体５４の側壁には、ファン６によって生起された風を取り入れる切欠５５が形成されたことを特徴とする。
【０００７】
また、切欠５５に臨む位置に、筒体５４の軸に対する筒体５４の角度よりも高角度を成す風取り入れ体５１を設けたことを特徴とする。
【０００８】
また、風取り入れ体５１は、筒体５４の最大径部分よりも外方に位置するところまで延設されていることを特徴とする。
【０００９】
また、本体ケース１内に収納される駆動源の前端面と筒体５４の入口４０が対向するように設け、風取り入れ体５１の外郭部を、駆動源の外郭部よりも外方に位置するところまで延設したことを特徴とする。
【００１０】
また、ファン６およびファン駆動用のモータ７を収容する筒状の本体ケース１と、イオンを生成するイオン発生部１５と、イオン発生部１５で生成されたイオンを移行案内するイオン通路２１とを備えており、  イオン発生部１５は、イオン通路２１を構成する筒体５４内に設けられ、筒体５４には、ファン６によって生起された風の通過を許す入口４０と、通過した風によって移行するイオンを吹き出す出口４１と、筒体５４の軸に対する筒体５４の角度よりも高角度を成す風取り入れ体５１とを形成し、本体ケース１内に収納される駆動源の前端面と筒体５４の入口４０とを対向するように設け、風取り入れ体５１の外郭部を、駆動源の外郭部よりも外方に位置するところまで延設したことを特徴とする。
【００１１】
【発明の作用効果】
この発明の送風装置は、ファン６およびファン駆動用のモータ７を収容する筒状の本体ケース１と、イオンを生成するイオン発生部１５と、イオン発生部１５で生成されたイオンを移行案内するイオン通路２１とを備えており、イオン発生部１５は、イオン通路２１を構成する筒体５４内に設けられ、筒体５４には、ファン６によって生起された風の通過を許す入口４０と、通過した風によって移行するイオンを吹き出すための出口４１が形成され、筒体５４の側壁には、ファン６によって生起された風を取り入れる切欠５５が形成されたことにより、生成されたイオンを筒体５４内に閉じ込めて送給できるので、本体ケース１内で拡散されるのを可及的に防止できる。このとき、生成されたイオンの送給は、ファンによって生起された風を利用するが、入口４０からだけではなく、筒体５４の側壁の切欠５５によって形成された空間５２からも風を取り入れることができる。したがって、大量に流入した風によって生成されたイオンは滞留することなく、確実に出口４１から送給される。
【００１２】
切欠５５に臨む位置に、筒体５４の軸に対する筒体５４の角度よりも高角度を成す風取り入れ体５１を設けたことにより、筒体５４の側面を通過する風を、積極的に筒体５４内に取り込むことができ、筒体５４内に流入する風の量を増大することができる。
【００１３】
風取り入れ体５１は、筒体５４の最大径部分よりも外方に位置するところまで延設されていることにより、さらに多くの風を筒体５４内に取り込むことができる。
【００１４】
本体ケース１内に収納される駆動源の前端面と筒体５４の入口４０が対向するように設け、風取り入れ体５１の外郭部を、駆動源の外郭部よりも外方に位置するところまで延設したことにより、各構成部品の配置に制約がなくなり都合が良い。つまり、この種送風装置に当然必要なファンを駆動するモータやイオン発生部を駆動する高圧電源部等の駆動源（電気部品）と筒体５４を、本体のコンパクト化のため近接して配置した場合おいては、駆動源が邪魔をして入口４０から風が入り難くなるが、そのような場合であっても、駆動源の外郭部よりも外方に突出した風取り入れ体５１の存在によって、確実に、筒体５４内に風を取り込むことができる。
【００１５】
ファン６およびファン駆動用のモータ７を収容する筒状の本体ケース１と、イオンを生成するイオン発生部１５と、イオン発生部１５で生成されたイオンを移行案内するイオン通路２１とを備えており、イオン発生部１５は、イオン通路２１を構成する筒体５４内に設けられ、筒体５４には、ファン６によって生起された風の通過を許す入口４０と、通過した風によって移行するイオンを吹き出すための出口４１と、筒体５４の軸に対する筒体５４の角度よりも高角度を成す風取り入れ体５１とを形成し、本体ケース１内に収納される駆動源の前端面と筒体５４の入口４０とを対向するように設け、風取り入れ体５１の外郭部を、駆動源の外郭部よりも外方に位置するところまで延設したことにより、各構成部品の配置に制約がなくなり都合が良い。つまり、この種送風装置に当然必要なファンを駆動するモータやイオン発生部を駆動する高圧電源部等の駆動源（電気部品）と筒体５４を、本体のコンパクト化のため近接して配置した場合おいては、駆動源が邪魔をして入口４０から風が入り難くなるが、そのような場合であっても、駆動源の外郭部よりも外方に突出した風取り入れ体５１の存在によって、確実に、筒体５４内に風を取り込むことができる。
【００１６】
【実施例】
図１乃至図８は、この発明をヘアードライヤーに適用した第１実施例を示す。
図２においてヘアードライヤー（送風装置）は、横長筒状の本体ケース１と、その下面一側に設けられるハンドル２とを基体にして、これらの内部に送風ユニットや、制御用の電気部品等を収容してなる。本体ケース１の先端側には、ファン６で生起した空気流を流動案内する風導体１Ａが装着してある。ハンドル２の前面および後面には、風量制御とヒータースイッチとを兼ねる電源スイッチノブ３と、イオン発生部１５への通電をオン・オフするイオンスイッチノブ４とが設けてある。ハンドル２の内部には、先のスイッチノブ３・４で切り換え操作されるスイッチが収容してある。想像線で示すように、ハンドル２は本体ケース１に対して折り畳み可能に連結されている。
【００１７】
送風ユニットは、図２に示すごとくモータケース５と、モータケース５に組み付けられるファン６およびモータ７と、十文字状に組まれた絶縁枠８に螺旋状に巻き付けられるヒーター９などで構成する。ファン６は一方向へ回転駆動されて、本体ケース１の後端の吸込口１０から吸い込んだ空気を加圧して前端に装着した風導体１Ａの吹出口１１から吹き出す。このとき、ヒータ７を通電していれば、温風が吹き出る。風導体１Ａはポリカーボネイト製の成形品からなる。
【００１８】
ヘアードライヤーにはマイナスイオンを生成するためのイオン生成手段が組み込んである。そのイオン生成手段としては、図２に示すごとく整流回路およびパルス発生回路が実装された回路基板１３と、昇圧用のトランス１４と、イオン発生部１５などで構成されており、前二者１３・１４は、ヒーター９用の絶縁枠８を切り欠いて形成した空間に配置されており、イオン発生部１５は風導体１Ａの内部に組み込まれている。
【００１９】
図３において風導体１Ａの内部には、整流筒１７と金属製の吹出グリル１８とを組み込んであり、整流筒１７を利用して先のイオン発生部１５が、ファン６で生起した空気流のほぼ中央に位置するよう保持されている。整流筒１７は、断面円形の筒壁１９と、その内部前端に放射状に設けた整流翼２０と、筒壁１９の中央に設けたイオン通路２１を形成する筒体５４とを一体に形成したポリカーボネイト製のプラスチック成形品からなる。図５において吹出グリル１８は、同心円状の円弧リブ１８ａと、長短２種の放射状の直線リブ１８ｂとを備えたプレス成形品からなる。吹出グリル１８を風導体１Ａの内部に嵌め込んだ後、整流筒１７を風導体１Ａに内嵌固定することにより、これら三者を１個のユニット部品として取り扱うことができる。図６の組み付け状態における整流筒１７の整流翼２０と、長寸の直線リブ１８ｂとは、前後に重なるようにしてあり、これによってファン６で生起された空気流と、整流翼２０で整流した後の直線状の空気流とが、直線リブ１８ｂによって乱されるのを防いでいる。
【００２０】
図３乃至図５においてプラスチック製の筒体５４は、先すぼまりテーパ状の第１筒部２３と第１筒部２３の前方の小径端に連続して前方へ突出する第２筒部２４とからなり、第１筒部２３の内部にイオン発生部１５を組み込んである。第２筒部２４の前端は、風導体１Ａの吹出口１１の中央に位置する状態で吹出口１１の開口面より前方外側へ突出している。従って、吹出口１１が床面と対向する状態でヘアードライヤーを載置したような場合にも、第２筒部２４が床面と接当して、吹出口１１と床面との間に隙間を形成することができる。図１の符号４０は、ファン６によって生起された風の一部を筒体５４内に導入するための風の入口であり、４１は筒体５４内を通過する風によって移行するイオンを風とともに吹き出すためのイオンの出口である。符号５２は、第１筒部２３の切欠５５によって形成された風取り入れ用開口部である。第１筒部２３には、切欠５５に臨む位置にあって、第１筒部２３よりも高角度を成す風取り入れ体５１を第１筒部２３と一体に形成している。図３乃至図６に示すように、風取り入れ体５１は、筒体５４の最大径部分、すなわち第１筒部２３の後端５６よりも径方向外方に位置するところまで延設されている。これによって、入口４０のみならず、風取り入れ用開口部５２からも、風を導入できるので、筒体５４内を流れる風の量を増大でき、イオン発生部１５で生成したマイナスイオンを効果的に対象物（毛髪）に送給することができる。さらに、図２又は図３に示すように、風取り入れ体５１の外郭部を、駆動源としてのトランス１４の外郭部よりも径方向外方に位置するところまで延設したことにより、筒体５４とトランス１４を本体小型化のため筒体５４の入口４０と駆動源の前端面を対向して近接配置しても、駆動源（トランス１４）の外郭部よりも外方に突出した風取り入れ体５１の存在によって、確実に、筒体５４内に風を取り込むことができる。なお、本実施例においては、筒体５４の入口４０と駆動源の前端面を対向して近接配置して成るものであるが、同じ配置で、風取り入れ用開口部５２及び風取り入れ体５１がない形態の筒体は出口４１から吹き出すマイナスイオンの量が５千個〜１万個だったものが、風取り入れ用開口部５２及び風取り入れ体５１を筒体５４に形成した本実施例によれば、出口４１から吹き出すマイナスイオンの量が５０万個〜１００万個と１００倍近く多く出る試験結果となった。
【００２１】
第２筒部２４におけるイオン通路２１の断面積は、風導体１Ａにおける空気流の通路断面積に比べて充分に小さい。そのため、たとえ第２筒部２４がプラスに帯電していたとしても、ごく短い時間で帯電状態を中和でき、従ってより多くのマイナスイオンを送給できることになる。後述するノズル本体３４と通路筒２９との関係においても、同様の理由でマイナスイオンを効果的に送給できる。因みに、この実施例においては、第２筒部２４におけるイオン通路２１の直径寸法を９mmとするとき、整流筒１７の内面の直径寸法を５３mmとした。
【００２２】
図３および図５においてイオン発生部１５は、電極ホルダー２５と、電極ホルダー２５の中央部に固定される針状電極２６と、針状電極２６の周りを囲む周囲電極２７と、針状電極２６と周囲電極２７との間の空間を区分する絶縁筒２８とで構成されている。電極ホルダー２５は、ボス部３０と、ボス部３０の周面に設けた放射状の保持腕３１とを一体に形成したプラスチック成形品からなり、耐オゾン性と耐熱性とを有し、しかも絶縁性に優れたプラスチック、例えばポリフェニレンサルファイド（ＰＰＳ）で成形する。保持腕３１を先の第１筒部２３の内面に設けた凹部２３ａ（図５参照）に嵌め込み固定することにより、電極ホルダー２５を整流筒１７と一体化できる。
【００２３】
ボス部３０の軸中心には針状電極２６を固定し、ボス部３０の周面に周囲電極２７を同心円状に装着してあり、この装着状態において両電極２６・２７の前端は同一平面状に位置する。絶縁筒２８は雲母、ガラス、セラミックスなどの高度の絶縁特性を備えた素材で円筒状に形成する。絶縁筒２８をボス部３０の前端の凹部に内嵌固定した状態において、絶縁筒２８の前端は針状電極２６と周囲電極２７の前端より前方へ大きく突出するように設けられており、第１筒部２３の前端に臨んでいる。このように絶縁筒２８が前方に大きく突出していると、針状電極２６と周囲電極２７とでスパークが生じるのを防いで、効果的にマイナスイオンを生成できる。図３に示すように針状電極２６および周囲電極２７とトランス１４とは、それぞれリード線で接続するが、リード線が半田付けされた個所の間でスパークが生じるのを防ぐために、針状電極２６とリード線とは、ボス部３０の後ろ側の凹部に充填した絶縁性の接着剤３２で封入してある。
【００２４】
図８にマイナスイオンを発生するための電気回路の概略を示している。そこでは、商用電源（１００Ｖ）からの電流を整流回路で半波整流したうえで、パルス発生回路でパルス電圧・電流に変換する。ついでパルス電圧・電流をトランス１４で昇圧して、例えば４Ｋｖに昇圧した高電圧を針状電極２６に印加し、同針状電極２６から周囲電極２７に向けて電子を放出させる。これによって、空気中の酸素、微少水滴、塵等がマイナスに帯電してマイナスイオン化する。なお、図８におけるダイオードは、針状電極２６に負の出力のみを得るため設けたものであるが、省略することができる。その場合には、プラスイオンとマイナスイオンとが交互に生成される。また、マイナスイオンを生成すると同時に副産物として、オゾンも生成されるが、オゾンの生成を極端に少なくするため、図８におけるダイオードと針状電極２６との間に抵抗を設けて電流値を下げてもよい。
【００２５】
ヘアードライヤーでは、図１に示すように、必要に応じて風導体１Ａの前端側すなわち吹出口１１にノズル３３を付加して使用することがある。そのノズル３３は、先すぼまり円筒状（先広がりでもよい）のノズル本体３４と、ノズル本体３４の内面に装着される内筒３５とからなり、本体ケース１側の吹出口１１に着脱自在に装着されている。内筒３５の内部には、木の葉形の整流翼３６を設け、その中央部に前後向きの保持ボス３７が一体に設けてあり、この保持ボス３７の中空内部に、通路筒２９を装填して前後方向に走る案内通路３８が設けられている。案内通路３８の断面積は、ノズル本体３４における空気流の通路断面積に比べて充分に小さい。そのため、イオン通路２１において述べたのと同様に、たとえ通路筒２９がプラスに帯電していたとしても、ごく短い時間で帯電状態を中和でき、従ってより多くのマイナスイオンを送給できることになる。
【００２６】
図１に示すように、ノズル３３を風導体１Ａの吹出口１１に装着した状態において、案内通路３８の後端開口面はイオン通路２１の出口４１に隣接する状態で設けてあり、イオン通路２１から出たマイナスイオンをノズル３３の前端の吹出口３９の開口面へ移行案内する。ノズル本体３４、内筒３５、通路筒２９は、それぞれポリカーボネイト製の成形品からなる。なお、ノズル本体３４と内筒３５のそれぞれを、透明ないし半透明のプラスチック材で成形し、通路筒２９と透明な保持ボス３７との間に光沢に富む装飾シート４６を装填しておくと、保持ボス３７を透かして装飾シート４６を見通すことができるので、ノズル３３のデザイン効果を向上できる。
【００２７】
以上のように構成したヘアードライヤーによれば、イオン発生部１５で生成したマイナスイオンは、イオン通路２１内に封じ込んだ状態で吹出口１１まで供給できるので、マイナスイオンがイオン発生部１５と吹出口１１との間の風導部を通過する主たる空気流の中に拡散してその分布密度が低下するの防止でき、マイナスイオンが風導部内に組み込まれたケースや吹出グリル１８などの部品の表面と接触して電気的に中和することも確実に防止できる。さらに、イオン通路２１の出口４１が吹出口１１の中央に位置し、しかも吹出口１１の開口面より前方に突出しているので、イオン通路２１の出口４１から放出されたマイナスイオンは、吹出口１１から吹き出される空気流の中心に包まれて毛髪へ到達できる。吹出口１１の直前に整流翼２０を設けて、吹出口１１から吹き出される主たる空気の流れが旋回するのを抑止できるので、イオン通路２１から出たマイナスイオンが主たる空気流の中に拡散するのをよく防止でき、この点でもマイナスイオンの毛髪への到達量が向上する。マイナスイオンによって、毛髪の内部深くまで水分を浸透させ、その水分率を高めて毛髪の状態を好適化できる。筒体５４は、吹出口１１の近傍にあることが好ましいが、ファン６よりも前方側（ファン６で生起される風の下流側）にあれば、本体ケースの中央に位置していてもよい。出口４１も吹出口１１より奥側にあってもよい。要は、イオン発生部１５を筒体５４で囲って成る構成ならばよい。
【００２８】
風導体１Ａの吹出口１１にノズル３３を接続して使用する場合には、イオン通路２１の出口４１から出たマイナスイオンは、ノズル３３内の案内通路３８でノズル３３の吹出口３９へ移行案内できるので、マイナスイオンがノズル内部を通過する主たる空気流の中に拡散するのを防止できるうえ、マイナスイオンの流れの周囲を吹出口３９から吹き出される空気流で包み込んで送給できるので、マイナスイオンを毛髪に対して分布密度が高い状態で効果的に送給することができる。なお、この実施例のヘアードライヤーにおいては、マイナスイオンを送給対象としたが、イオンの発生と同時に生成されるオゾンを送給対象とする場合にも、以上に述べた作用効果を同様に発揮できる。但し、オゾンは脱臭等を目的として送給する。なお、マイナスイオンを送給する第１筒部２３、第２筒部２４、通路筒２９は、それぞれの帯電列が他の通路構成部材に比べて下位（マイナス寄り）の素材を用いて形成することが好ましい。このように帯電列を考慮して素材を選定すると、使用時には、先の筒部材２３、２４、３９と他の通路構成部材との結合部での接触摩擦によって、通路構成部材がマイナスに帯電するので、通路構成部材に沿って流動するマイナスイオンが通路壁に吸着されるのを防止でき、送給経路途中におけるマイナスイオンの減耗を減らすことができるからである。
【００２９】
以下、図９から図１０は本発明の別実施例を示す。なお、個々の別実施例においては、先の実施例と大きく異なる点のみを説明し、先の実施例と同じ部材には同じ符号を付してその説明を省略する。図９のヘアードライヤーにおいては、イオン通路２１を構成する筒体５４を前後方向に走る直管状に形成する点と、風導体１Ａにノズル３３を外嵌装着する点が先の実施例と異なる。イオン通路２１の内部には、先の実施例と同様にイオン発生部１５が組み込まれている。この実施例においても、風取り入れ体５１は、切欠５５に臨む位置に筒体５４の角度よりも高角度を成すよう設けられるとともに筒体５４の最大径部分５８（直管状であるため筒体５４の前端から後端までどの部位をとっても同じ）よりも径方向外方に位置するところまで延設されている。さらに、取り入れ体５１の外郭部を本体ケース１内に収納される駆動源としてのトランス１４の外郭部よりも径方向外方に位置するところまで延設している。
【００３０】
図１０においては、第１実施例のように、筒体５４に切欠５５を形成し、かつ、風の流れ方向下流側に風取り入れ体５１を形成したものとは異なり、トランス１４と略等しい径の第１筒部２３の後端５６に、切欠を設けず風取り入れ体５１のみを一体成形で周方向すべてにおいて延設した構成のものである。つまり、筒体５４は、その最後端がトランス１４の外郭部よりも径方向外方に張り出したベル状を成している。本実施例において、トランス１４の外郭部は、本体ケース１の後端の吸込口１０側からみた筒体５４の投影平面内に全て位置する。この構成によっても、トランス１４の外郭部に沿って流れてくる風を積極的に筒体５４内に取り込むことができ、筒体５４内の風量を増大することができる。なお、筒体５４は、本体ケース１の後端の吸込口１０側からみて、駆動源の外郭部から一部でも外方に張り出していれば、筒体５４の投影平面内に駆動源の全ての部分が入る必要はない。駆動源は得てして均等な形状ではなく、凹凸のある断面非対称形状であるので、駆動源の全てが筒体５４の投影平面内に入るとは限らない。
【００３１】
上記以外に、イオン発生部１５とイオン通路２１とは、吹出口１１に着脱自在に装着されるノズル３３の内部に設けることができ、本体ケース１が左右二つ割り構造にしてある場合には、本体ケース１の内部にイオン発生部１５とイオン通路２１とを直接に組み付けることができる。イオン通路２１は弾性変形可能なチューブで形成することができる。イオン発生部１５は、マイカ、セラミック等からなる板状の絶縁体（誘電体）の表と裏とに放電電極と誘導電極を配置した沿面放電型の構造や、２個の針状電極を対向配置した電極構造などに変更でき、イオンの発生が可能であればその構造は何ら限定しない。この発明の送風装置は、ハンドドライヤーや足乾燥機等の機器も含むこととする。また、ヒーターを備えていない扇風機などもこの発明の送風装置に含むこととする。
【００３２】
風導体１Ａは本体ケース１と一体に成形することができる。その場合には、整流筒１７やイオン発生部１５を、本体ケース１に対してその吸込口１０の側から組み込んだ後、絶縁枠８、ヒーター９、回路基板１３、トランス１４を本体ケース１に組むとよい。ノズル３３を併用する場合には、周面に外気取り入れ用の開口が設けてあるノズル本体３４を用いてもよい。その場合には、ファン６で生起した空気流によるエジェクター作用によって、前記開口部から外気をノズル３３内に導入し、ノズル３３内を通過する温風に湿気を含む外気を混ぜた状態で送給できるので、温風のみを吹き付ける場合に比べて、毛髪のダメージを減少できる。なお、実施例においては、マイナスイオンを送給する場合について説明したが、送給対象はプラスイオンであってもよく、その場合にも送給経路途中におけるプラスイオンの減耗をよく防止して、効果的に送給できる。プラスイオンを生成する際には、図８におけるダイオードを左右に反転した状態で接続する。
【００３３】
風取り入れ体５１は、風取り入れ用開口部５２や入口４０に向けて風の流れを変更できるものならば、筒体５４と一体成形のものではなく別体で構成されたものであってもよい。第１実施例においては、板状の風取り入れ体５１を筒体５４の周方向に１２０度の角度をもって３つ形成（図６参照）しているが、周方向に６０度の角度をもって６つ形成してもよく、一定角を持たせずに設けても良い。或いは１つだけ設けたものであってもよい。風取り入れ体５１は細かなメッシュ状であってもよい。
【００３４】
上記各実施例においては、筒体５４の入口４０と対向する駆動源としてトランス１４となっているが、駆動源は、ファン６を駆動するモータ７であってもよく、回路基板１３であってもよい。要は、本体ケース１内に収納され本体ケース１内の風の流れの邪魔をする電気部品である。ただ、上記各実施例のように、トランス１４と筒体５４を対向して近接させた方が配線を最短とできるので都合が良い。
【図面の簡単な説明】
【図１】イオン発生装置の要部の縦断側面図である。
【図２】全体の縦断側面図である。
【図３】イオン発生部と筒体とを示す縦断側面図である。
【図４】風導体およびノズルの分解斜視図である。
【図５】整流筒とイオン発生部との関係構造を示す分解斜視図である。
【図６】図３におけるＡ−Ａ線断面図である。
【図７】ノズルの正面図である。
【図８】イオン発生回路の概略を示す説明図である
【図９】筒体の別の実施例を示す縦断側面図である。
【図１０】筒体のさらに別の実施例を示す縦断側面図である。
【符号の説明】
１  本体ケース
１Ａ  風導体
６  ファン
７  モータ
９  ヒーター
１１  吹出口
１５  イオン発生部
２０  整流翼
２１  イオン通路
２５  電極ホルダー
２６  針状電極
２７  周囲電極
２８  絶縁筒
３３  ノズル
３８  案内通路
３９  吹出口
４０  入口
４１  出口
５１  風取り入れ体
５２  風取り入れ用開口部
５４  筒体
５５  切欠
【図１】
0004043757.tif 000002
【図２】
0004043757.tif 000003
【図３】
0004043757.tif 000004
【図４】
0004043757.tif 000005
【図５】
0004043757.tif 000006
【図６】
0004043757.tif 000007
【図７】
0004043757.tif 000008
【図８】
0004043757.tif 000009
【図９】
0004043757.tif 000010
【図１０】
0004043757.tif 000011